【手続補正書】
【提出日】平成19年4月5日(2007.4.5)
【手続補正１】
【補正対象書類名】明細書
【補正対象項目名】全文
【補正方法】変更
【補正の内容】
【書類名】              明細書
【発明の名称】  マッサージ機
【特許請求の範囲】
【請求項１】
座部（３）と背凭れ部（４）とを有する椅子型マッサージ機において、
背凭れ部（４）に機械式のマッサージ具（８）が設けられ、
座部（３）に、前記機械式のマッサージ具（８）よりも動作が緩やかでソフトなマッサージを行う空気式のマッサージ具（４５，４６）が設けられ、
前記機械式のマッサージ具（８）は、前記空気式のマッサージ具（４５，４６）によってマッサージが行われる使用者に対して、前記空気式のマッサージ具（４５，４６）よりも早い動作の強いマッサージを行うことを特徴とする椅子型マッサージ機。
【発明の詳細な説明】
【０００１】
【産業上の利用分野】
本発明は、椅子型マッサージ機に関するものである。
【０００２】
【従来の技術】
座部と背凭れ部とを有する従来の椅子型マッサージ機には、座部と背凭れ部とに夫々機械式のマッサージ具を設け、モータの回転動力によって揉み玉を揉み動作及び叩き動作させて使用者の背、肩、腰等をマサージすると共に、モータの回転動力によって揉み玉を動かして座部上にある使用者の尻や太もも等を押圧したり揉んだりするようにしたものがある。
【０００３】
また、従来の椅子型マッサージ機には、座部と背凭れ部とに夫々空気式のマッサージ具を設け、空気圧によって伸縮動作するエアセルに空気をコンプレッサー等から供排することにより、エアセルで使用者の背、肩、腰等をマッサージすると共に、空気圧によって伸縮動作するエアセルによって使用者の尻や太もも等を押圧したり揉んだりするようにしたものがある。
【０００４】
しかし、従来、空気式のマッサージ具によって動作が緩やかなマッサージが行われる使用者に対して、機械式のマッサージ具によって動作が早いマッサージを行う椅子型マッサージ機はなかった。
【０００５】
【発明が解決しようとする課題】
本発明は上記問題点に鑑み、効果的なマッサージが行える椅子型マッサージ機を提供するようにしたものである。
【０００６】
【課題を解決するための手段】
上記問題点を解決する本発明の技術手段は、座部と背凭れ部とを有する椅子型マッサージ機において、背凭れ部に機械式のマッサージ具が設けられ、座部に、前記機械式のマッサージ具よりも動作が緩やかでソフトなマッサージを行う空気式のマッサージ具が設けられ、前記機械式のマッサージ具は、前記空気式のマッサージ具によってマッサージが行われる使用者に対して、前記空気式のマッサージ具よりも早い動作の強いマッサージを行う点にある。
従って、空気式のマッサージ具によってマッサージを受ける使用者は、機械式のマッサージ具によって、空気式のマッサージ具よりも早い動作の強いマッサージを受けることができる。
【０００７】
本発明の他の技術手段は、前記機械式のマッサージ具８は、モータ１０とモータ１０の回転動力によって揉み玉１２をマッサージ動作させる伝動機構１１とを備える点にある。従って、モータ１０の回転動力によって、揉み玉１２で使用者の肩、腰、背等を激しく叩いたり、強く揉んだりして、肩、腰、背等を適度の強さで効果的なマッサージをすることが可能になる。
本発明の他の技術手段は、座部３に空気圧によって伸縮動作するエアセル４７，４９を組み込めばよいため、エアセル４７，４９は空気圧によって伸縮動作するクッション性の高いものであり、これによって座部３のクッション性を大きく損なうことはなくなり、座部３を座り心地のよいものになし得る。エアセル４７，４９は、モータの回転動力によって揉み玉等にマッサージ動作させる機械式の伝動機構に比べて構成が簡単で小形のもので済むから、座部３にマッサージ具を組み込むための大きなスペースも不要になる。
【０００８】
本発明の他の技術手段は、前記機械式のマッサージ具８は、背凭れ部４を昇降するように構成されている点にある。従って、機械式のマッサージ具８によって、使用者の肩、腰、背等を広範囲に亘って激しく叩いたり、強く揉んだりして、適度の強さで効果的なマッサージをすることが可能になる。
本発明の他の技術手段は、座部３の下方にフットレスト５が設けられ、フットレスト５に、脚をマッサージするための空気式のマッサージ具４５，４６が設けられている点にある。
【０００９】
従って、背凭れ部４の機械式のマッサージ具８によって肩、腰、背等を効果的にマッサージできかつ座部３の空気式のマッサージ具４５，４６によって尻、太もも等をソフトにマッサージできると同時に、空気式のマッサージ具４５，４６によって使用者の脚をソフトにマッサージすることができる。しかも、フットレスト５のマッサージ具４５，４６に対して、座部のマッサージ具４５，４６の空気供給源から空気を給排することができ、コンプレッサ等の動力源を兼用することができる。
【００１０】
本発明の他の技術手段は、前記フットレスト５が、座部３の下方に着脱自在に設けられている点にある。従って、フットレスト５を取り付けた状態でマッサージ具５３，５８で脚のふくらはぎ等をマッサージできると共に、フットレスト５を取り外して床等に載置することにより、フットレスト５のマッサージ具５３，５８で足の裏や足の側部等を効果的にマッサージすることができる。本発明の他の技術手段は、前記フットレスト５が、座部３に、座部３の前端部から垂下する垂下状態と、座部３の前方に載置される載置状態とに姿勢変更可能に連結されている点にある。
【００１１】
従って、フットレスト５を垂下状態にセットすることにより、フットレスト５のマッサージ具５３，５８で脚のふくらはぎをマッサージすることができると共に、フットレスト５を載置状態にセットすることにより、フットレスト５のマッサージ具５３，５８で足の裏や足の側部等を効果的にマッサージすることができる。本発明の他の技術手段は、前記フットレスト５が、座部３に対して接離調整可能に構成されている点にある。
【００１２】
従って、フットレスト５を、座部３に対して接離調整することによって、使用者の脚の長さ等に合わせて使用者の脚の希望する部分を、フットレスト５のマッサージ具５３，５８で良好にマッサージすることが可能になる。本発明の他の技術手段は、前記フットレスト５が、脚の上側をマッサージする第一フットレスト部８５と脚の下側をマッサージする第二フットレスト部８６とに分割され、第一フットレスト部８５と第二フットレスト部８６とが接離調整可能に構成されている点にある。
【００１３】
従って、第一フットレスト部８５と第二フットレスト部８６とを、座部３に対して接離調整することによって、使用者の脚の長さ等に合わせて使用者の脚の希望する部分を、フットレスト５のマッサージ具５３，５８で良好にマッサージすることが可能になる。本発明の他の技術手段は、前記座部３を振動させるバイブレータ１０９が設けられている点にある。従って、座部３においてマッサージ具４５，４６によるマッサージと共に振動によるマッサージを施すことができるようになる。
【００１４】
本発明の他の技術手段は、前記フットレスト５を振動させるバイブレータ１１０が設けられている点にある。従って、フットレスト５においてマッサージ具５３，５８によるマッサージと共に振動によるマッサージを施すことができるようになる。本発明の他の技術手段は、バイブレータ１１１が、座部３のマッサージ具４５，４６又はフットレスト５のマッサージ具５３，５８に組み込まれている点にある。
【００１５】
従って、座部３及びフットレスト５においてマッサージ具４５，４６又はマッサージ具５３，５８によるマッサージと共に振動によるマッサージを施すことができるようになる。
【００１６】
【実施の形態】
以下、本発明の実施の形態を図面に基づいて説明する。及びは、本発明に係る椅子型マッサージ機１の全体構成を示している。及びにおいて、椅子型マッサージ機１は、脚体２により支持された座部３と、座部３の後部に設けられた背凭れ部４と、座部３の前部下方に設けられたフットレスト５と、座部３の左右両側に設けられたひじ掛け部６とを具備している。背凭れ部４は、リクライニング装置７により座部３後端部側を支点としてリクライニング可能に構成されている。
【００１７】
背凭れ部４に機械式のマッサージ具８が内蔵されている。マッサージ具８は、にも示す如く複数の揉み玉（マッサージ用のローラ）９と、マッサージ用モータ１０と、マッサージ用モータ１０の回転動力を揉み玉９に伝達して該各揉み玉９に揉み動作や叩き動作をさせる伝動機構１１と、支持枠１４とを有し、マッサージ具８は、昇降手段１３により背凭れ部４内を上下動可能に構成されている。昇降手段１３は、マッサージ具８の支持枠１４に螺合した送りねじ１５を昇降モータ１６で回転させることによって、マッサージ具８を昇降させる機構を採用してある。
【００１８】
なお、この昇降手段１３は、巻き掛け駆動機構やラックとピニオンとの噛合構造、又は流体圧シリンダ等を用いた昇降駆動構造等を用いたものに置換することも可能である。マッサージ具８の伝動機構１１は、〜に示すように左右両側へ揉み動作軸１９及び叩き動作軸２０を突出させた駆動ユニット２１と、上記の動作軸１９，２０によって保持された左右一対の駆動アーム２５と、各駆動アーム２５の先端部に固定された支持アーム２６とを有し、支持アーム２６の上下両端部に上記揉み玉９が取り付けられている。
【００１９】
上記した駆動ユニット２１は、マッサージ用モータ１０による回転動力から揉み動作軸１９を介して駆動アーム２５に左右動成分を取り出すことで揉み動作を行わせる状態と、マッサージ用モータ１０による回転動力から叩き動作軸２０を介して駆動アーム２５に前後揺動成分を取り出すことで叩き動作を行わせる状態とを、所望に応じて切換可能になっている。前記動作軸１９，２０は左右方向に互いに平行に配置されていて、駆動ユニット２１のケースに夫々軸受を介して回転自在に支持されている。これらの動作軸１９，２０は、マッサージ用モータ１０により伝動機構１１を介して一方が選択されてに示す矢印Ａ又はＢの方向に回転駆動を受けるようになっている。
【００２０】
叩き動作軸２０の両端部に互いに逆方向に偏心した偏心軸部２０Ａ，２０Ａが設けられ、揉み動作軸１９の両端部に傾斜軸部１９Ａ，１９Ａが設けられている。叩き動作軸２０の偏心軸部２０Ａと揉み動作軸１９の傾斜軸部１９Ａはリンク機構２８によって連結されている。リンク機構２８は板状の駆動アーム２５と、該駆動アーム２５に連結されたボールジョイント２９と、該ボールジョイント２９の軸部にピン３０で連結された連結アーム３１とで成っている。上記駆動アーム２５は傾斜軸部１９Ａに回転自在に支持され、連結アーム３１は偏心軸部２０Ａに揺動自在に取り付けられている。
【００２１】
かくして、叩き動作軸２０がＡ方向に回転すると、該叩き動作軸２０の偏心軸部２０Ａは連結アーム３１、ボールジョイント２９、駆動アーム２５及び支持アーム２６を介して揉み玉９をＡ１方向に往復動せしめる。これにより揉み玉９は叩き運動を行う。なお、一方の偏心軸部２０Ａは他方の偏心軸部２０Ａに対して互いに反対方向に偏心しているので、左右に対応する揉み玉９は交互に叩き動作をする。次に、揉み動作軸１９が回転動力を受けると、傾斜軸部１９Ａは、円錐面を描くように回転するので、駆動アーム２５はボールジョイント２９を支点にして往復揺動運動を行い、その結果、左右に対応する揉み玉９は互いに接離するようにＢ１方向に往復揺動し、揉み動作をする。
【００２２】
揉み動作軸１９及び叩き動作軸２０の一方を選択して回転させる機構は、例えばに示すように構成されている。において、叩き動作軸２０にはねじ歯車３３が取り付けられ、揉み動作軸１９にはウォーム歯車３４が取り付けられている。上記叩き動作軸２０及び揉み動作軸１９の後方又は前方には上下方向に延びる案内軸３５が配設され、該案内軸３５には、上記ねじ歯車３３と噛合するねじ歯車３６と、上記ウォーム歯車３４と噛合するウォーム３７とが、上記案内軸３５に対して回転自在に設けられている。
【００２３】
案内軸３５上のねじ歯車３６とウォーム３７には互いに向かい合う端面に、クラッチとして機能する係合歯部３６Ａ，３７Ａがそれぞれ形成されている。上記案内軸３５には、上記ねじ歯車３６とウォーム３７との間の部分に台形ネジ部３９が形成されており、ここに可動はすば歯車４０がその内径で螺合している。該可動はすば歯車４０の両端面には、上記係止歯部３６Ａ，３７Ａと解除可能に係合する係合歯部４０Ａ，４０Ａが形成されている。上記案内軸３５と平行に回転駆動軸４３が設けられていて、回転駆動軸４３は、前記マッサージ用モータ１０によってプーリ及びベルト等を介して矢印Ｐ，Ｑの方向に切り代えて回転駆動されるようになっている。
【００２４】
回転駆動軸４３にははすば歯車４４が取りつけられており、上記可動はすば歯車４０の外周面のはすばと噛合しており、回転駆動軸４３をＰ方向に回転すると、はすば歯車４４と噛合している可動斜視歯車４０は回転するとともに案内軸３５の台形ネジ部３９上をＲ方向に移動し、該可動はすば歯車４０の係合歯部４０Ａがねじ歯車３６の係合歯部３６Ａと係合して該ねじ歯車３６は回転駆動される。その結果、ねじ歯車３６と噛合するねじ歯車３３が取りつけられている叩き動作軸２０がＡ方向に回転することとなる。次に、回転駆動軸４３をＰ方向とは逆のＱ方向に回転させると、可動はすば歯車４０は、上記の動作とは逆に、Ｒ方向とは反対のＳ方向に移動し、ウォーム３７と係合して上記揉み動作軸１９をＢ方向に回転させる。
【００２５】
かくして、回転駆動軸４３を正逆回転させて可動はすば歯車４０をＲ，Ｓ方向に一方へ選択的に移動させることにより、叩き動作軸２０又は揉み動作軸１９の一方を回転せしめ、複数の揉み玉９で叩き動作あるいは揉み動作を行うことができる。なお、上記ねじ歯車３３，３６はほぼ同じ歯数になっているので、単位時間当たり比較的多い回数で叩き動作をするのに対し、ウォーム３７からウォーム歯車３４へは大きく減速されて回転力が伝達されるので揉み動作はゆっくりと行われる。
【００２６】
及びにおいて、前記座部３には、後ろ寄りに２個の空気式のマッサージ具４５が設けられ、前寄りに２個の空気式のマッサージ具４６が設けられている。後ろ寄りの各マッサージ具４５は、エアセル４７と椀状の施療子４８とを備え、エアセル４７に空気を供排することによりエアセル４７は空気圧によって伸縮動作し、施療子４８を介して使用者の尻を押圧するように構成されている。前寄りの各マッサージ具４６はエアセル４９と施療子５０とを備え、エアセル４９に空気を供排することによりエアセル４９は空気圧によって伸縮動作し、施療子５０を介して使用者の太ももを押圧するようになっている。
【００２７】
前記フットレスト５には、左右の足を別々に挟持することができる溝形の足保持部５１，５１が設けられており、各足保持部５１，５１の座部５寄りの底壁５２に、空気式のマッサージ具５３がそれぞれ設けられ、各マッサージ具５３はエアセル５４と施療子５５とを備えている。各足保持部５１，５１の先端側の対向側壁５７に空気式のマッサージ具５８がぞれぞれ対向して２個ずつ、計４個設けられ、各マッサージ具５８はエアセル５９と施療子６０とを夫々備えている。各マッサージ具５３，５８のエアセル５４，５９は膨張・伸縮により脚を押圧するためのものであり、特に、座部寄りのエアセル５４は施療子５５を介してふくらはぎ裏を押圧し、先端側のエアセル５９は足首を挟持状に押圧する。
【００２８】
前記エアセル４７、４９、５４、５９の膨張・収縮は、座部３の下方に配置したコンプレッサー６１からの給排気により行われ、コンプレッサー６１からの給気・排気の切り替えは図示省略の制御部により制御されるバルブによって夫々別個に行われるように構成されている。は他の実施の形態を示し、座部３の前部に取付板７１が下方突設され、この取付板７１の前面の左右両側に面ファスナ７２が固着され、前記フットレスト５の後面に、前記面ファスナ７２に着脱自在に接着される面ファスナ７３が固着され、面ファスナ７２，７３を介してフットレスト５を、座部３に対して着脱自在に取り付けるようにしたものである。その他の点は前記実施の形態の場合と同様な構成であり、図示省略しているが、背凭れ部４に機械式のマッサージ具８が設けられ、座部３に空気式のマッサージ具４５，４６が設けられている。また、フットレスト５に、脚をマッサージするための空気式のマッサージ具５３，５８が設けられている。
【００２９】
従って、この実施の形態の場合、座部３に対してフットレスト５を取り付けた状態でマッサージ具５３，５８で脚のふくらはぎ等をマッサージできると共に、フットレスト５を座部３から取り外して床等に載置することにより、フットレスト５の足保持部５１に足を載せてマッサージ具５３，５８で足の裏や足の側部等を効果的にマッサージすることができる。及びは他の実施の形態を示し、座部３の前部に取付板７１が下方突設され、この取付板７１の前面の左右両側にレール７５が設けられ、前記フットレスト５の後面に、前記レール７５に上側から抜き差し自在に係合保持されるレール７６が設けられ、これによりフットレスト５をレール７５，７６を介して座部３に対して着脱自在に取り付けられるようにしたものである。その他の点は前記実施の形態の場合と同様な構成であり、図示省略しているが、背凭れ部４に機械式のマッサージ具８が設けられ、座部３に空気式のマッサージ具４５，４６が設けられている。また、フットレスト５に、脚をマッサージするための空気式のマッサージ具５３，５８が設けられている。
【００３０】
この場合、前記に示す実施の形態の場合と同様に、座部３に対してフットレスト５を取り付けた状態でマッサージ具５３，５８で脚のふくらはぎ等をマッサージできると共に、フットレスト５を座部３から取り外して床等に載置することにより、フットレスト５の足保持部５１に足を載せてフットレスト５のマッサージ具５３，５８で足の裏や足の側部等を効果的にマッサージすることができる。は他の実施の形態を示し、座部３の前部の左右両側に取付ステー７８が突設され、この取付ステー７８にボルト等の締結具７９により、前記フットレスト５が着脱自在に取り付けられるようにしたものである。その他の点は前記実施の形態の場合と同様な構成であり、図示省略しているが、背凭れ部４に機械式のマッサージ具８が設けられ、座部３に空気式のマッサージ具４５，４６が設けられている。また、フットレスト５に、脚をマッサージするための空気式のマッサージ具５３，５８が設けられている。
【００３１】
この場合も、前記に示す実施の形態の場合と同様に、座部３に対してフットレスト５を取り付けた状態でマッサージ具５３，５８で脚のふくらはぎ等をマッサージできると共に、フットレスト５を座部３から取り外して床等に載置することにより、フットレスト５の足保持部５１に足を載せてフットレスト５のマッサージ具５３，５８で足の裏や足の側部等を効果的にマッサージすることができる。は他の実施の形態を示し、座部３の前部に連結板８１が垂下状に取り付けられ、この連結板８１は、幅方向中途部でヒンジ８２を介して後方に屈曲自在に構成され、連結板８１の下端に、フットレスト５の前端部が連結されており、連結板８１の屈曲と伸長とにより、フットレスト５が、座部３の前端部から垂下する垂下状態と、座部３の前方の床等に載置される載置状態とに姿勢変更可能に構成されている。その他の点は前記実施の形態の場合と同様な構成であり、図示省略しているが、背凭れ部４に機械式のマッサージ具８が設けられ、座部３に空気式のマッサージ具４５，４６が設けられている。また、フットレスト５に、脚をマッサージするための空気式のマッサージ具５３，５８が設けられている。
【００３２】
この場合、連結板８１を下方に伸長させることによって、座部３の前方の床等にフットレスト５を載置することができ、このように載置したフットレスト５の足保持部５１に足を載せることによって、フットレスト５のマッサージ具５３，５８で足の裏や足の側部等を効果的にマッサージすることができる。また、連結板８１をヒンジ８２を介して後方に屈曲させて、フットレスト５を座部３の前端部に図示省略の係合具等を介して係合させて垂下状に連結することによって、フットレスト５のマッサージ具５３，５８で脚のふくらはぎをマッサージすることができる。
【００３３】
〜は他の実施の形態を示し、前記フットレスト５が、脚の上側をマッサージする第一フットレスト部８５と脚の下側をマッサージする第二フットレスト部８６とに分割され、第一フットレスト部８５と第二フットレスト部８６とが座部３の前部に、支持フレーム８７を介して前後方向にスライド調整自在に取付られている。支持フレーム８７は、に示すように、固定フレーム９０と第一スライドフレーム９１と第二スライドフレーム９２とを備える。固定フレーム９０は、左右一対の縦部材９３と複数本の横部材９４と左右一対の内レール９５とを有し、左右一対の取付片９６を介して座部３の前端下部に上下揺動自在に連結されるようになっている。
【００３４】
第一スライドフレーム９１は、左右一対の外レール９９と前後一対の連結部材１００と左右一対の内レール１０１とを備え、外レール９９は、固定フレーム９０の内レール９５対して前後摺動自在に外嵌保持され、前後一対の連結部材１００は、左右一対の外レール９９に連結固定され、左右一対の内レール１０１は、前後一対の連結部材１００間に固着されている。第二スライドフレーム９２は、左右一対の外レール１０５と前後一対の連結部材１０６とを備え、左右一対の外レール１０５は、第一スライドフレーム９１の内レール１０１対してそれぞれ前後摺動自在に外嵌保持され、前後一対の連結部材１０６は左右一対の外レール１０５にそれぞれ連結固定されている。
【００３５】
そして、第一スライドフレーム９１の前後一対の連結部材１００に、フットレスト５の第一フットレスト部８５が固着され、第二スライドフレーム９２の前後一対の連結部材１０６に、フットレスト５の第二フットレスト部８６が固着されている。また、第一スライドフレーム９１の左右一対の外レール９９は、図示省略の係止手段によって、固定フレーム９０の内レール９５対して任意の前後摺動位置で係合固定できるように構成され、第二スライドフレーム９２の左右一対の外レール１０８は、図示省略の係止手段によって、第一スライドフレーム９１の内レール１０１対して任意の前後摺動位置で係合固定できるように構成されている。
【００３６】
従って、第一スライドフレーム９１は、固定フレーム９０に対して前後に移動調整自在であり、また第二スライドフレーム９２は、第一スライドフレーム９１に対して前後に移動調整自在であり、第一フットレスト部８５と第二フットレスト部８６とが前後に二段にスライド調整できるように構成されている。その結果、第一スライドフレーム９１を固定フレーム９０に対して前後に移動調整することにより、フットレスト５全体が、座部３に対して前後に接離調整可能であり、また第二スライドフレーム９２を第一スライドフレーム９１に対して前後に移動調整することにより、第二フットレスト部８６を座部３及び第一フットレスト部８５に対して前後に接離調整可能である。
【００３７】
その他の点は前記実施の形態の場合と同様な構成であり、図示省略しているが、背凭れ部４に機械式のマッサージ具８が設けられ、座部３に空気式のマッサージ具４５，４６が設けられている。また、フットレスト５の第一フットレスト部に、脚をマッサージするための空気式のマッサージ具５３が設けられ、フットレスト５の第二フットレスト部に脚をマッサージするための空気式のマッサージ具５８が設けられている。従って、この場合、第一フットレスト部８５と第二フットレスト部８６とを、座部３に対して前後に接離調整することによって、使用者の脚の長さ等に合わせて使用者の脚の希望する部分を、フットレスト５のマッサージ具５３，５８で良好にマッサージすることが可能になる。
【００３８】
及びは他の実施の形態を示し、座部３を振動させるバイブレータ１０９が設けられると共に、フットレスト５を振動させるバイブレータ１１０が設けられている。その他の点は前記実施の形態の場合と同様な構成であり、背凭れ部４に機械式のマッサージ具８が設けられ、座部３に空気式のマッサージ具４５，４６が設けられている。また、フットレスト５に、脚をマッサージするための空気式のマッサージ具５３，５８が設けられている。この場合、座部３及びフットレスト５においてマッサージ具４５，４６又はマッサージ具５３，５８によるマッサージと共に振動によるマッサージを施すことができるようになる。
【００３９】
は他の実施の形態を示し、前記及びの実施の形態に代えて、バイブレータ１１１をマッサージ具４５，４６，５３，５８の施療子等に収納することによって、バイブレータ１１１を座部３のマッサージ具４５，４６及び／又はフットレスト５のマッサージ具５３，５８に組み込むようにしたものである。この場合も、座部３及びフットレスト５においてマッサージ具４５，４６又はマッサージ具５３，５８によるマッサージと共に振動によるマッサージを施すことができるようになる。
【００４０】
なお、前記バイブレータ１０９，１１０，１１１は、に示すようにモータ１１３により主構成して、ケース１１４に収納したものであってもよいし、に示すようにソレノイド１１５により主構成して、同様のケースに収納したものであってもよい。ところで、本発明は、上記実施の形態に限定されるものではない。例えば、マッサージ具８は、叩き動作だけを行う構成としてもよいし、また揉み動作だけを行う構成としてもよい。
【００４１】
【発明の効果】
本発明によれば、空気式のマッサージ具によってマッサージを受ける使用者は、機械式のマッサージ具によって、空気式のマッサージ具よりも早い動作の強いマッサージを受けることができる。
【図面の簡単な説明】
【図１】本発明の一実施の形態を示す側面図である。
【図２】同正面図である。
【図３】同機械式のマッサージ具の斜視図である。
【図４】同機械式のマッサージ具の一部を示す正面図である。
【図５】同伝達機構部分の斜視図である。
【図６】他の実施の形態を示す斜視図である。
【図７】他の実施の形態を示す斜視図である。
【図８】同フットレストの斜視図である。
【図９】他の実施の形態を示す斜視図である。
【図１０】他の実施の形態を示す斜視図である。
【図１１】他の実施の形態を示す斜視図である。
【図１２】同フットレストを座部に対して接離調整した状態の斜視図である。
【図１３】同支持フレームの斜視図である。
【図１４】他の実施の形態を示す側面図である。
【図１５】同正面図である。
【図１６】他の実施の形態を示すマッサージ具の分解正面図である。
【図１７】バイブレータの一例を示す斜視図である。
【図１８】バイブレータの一例を示す斜視図である。
【符号の説明】
１ 椅子型マッサージ機
３ 座部
５ フットレスト
４ 背凭れ部
８ 機械式のマッサージ具
９ 揉み玉
１０ マッサージ用モータ
１１ 伝動機構
４５ 空気式のマッサージ具
４６ 空気式のマッサージ具
４７ エアセル
４８ エアセル
５３ 空気式のマッサージ具
５８ 空気式のマッサージ具
８５ 第一フットレスト部
８６ 第二フットレスト部
１０９ バイブレータ
１１０ バイブレータ
１１７ バイブレータ